(57)【要約】      （修正有）【課題】キャスター構造を提供する。【解決手段】枢着セット１は、フレームセット４の上端に設置され、スリーブ１１の上方に、上蓋１２が設置され、スリーブ１１の内部に、カムブロック１３や調整座１４及び押さえ素子１５が組合せられ、制動セットの制動や定位を制御でき、転動セット２は、フレームセット４の組合せ孔４１１内に設置されて、制動セットの外縁に嵌設され、キャスター４３を１８０度に指向させることができ、制動セットは、フレーム内部に設置され、軸と上ギヤホイール、下ギヤホイール、弾性素子、制動ブロック３及び下組合せブロックから構成され、枢着セットを介して力を印加して、上下ギヤホイールに定位動作を行わせ、また、制動ブロック３に、制動作用を発揮させ、フレームセット４は、フレームとキャスター４３及びシャフト４４から構成され、フレーム４１の組合せ孔４１１内に、転動セット２や制動セットが組み立てられる。【選択図】図１
0003151639.tif 000002
【実用新案登録請求の範囲】
【請求項１】
枢着セットと転動セット、制動セット及びフレームセットから構成されるキャスター構造であって、
フレームセットの上端に設置され、スリーブの上方に、スリーブを固定するための上蓋が設置され、スリーブの内部に、カムブロックが組み立てられ、カムブロックの下方に、調整座が設置され、調整座の外縁に、押さえ素子が設けられ、制動セットの制動を制御して定位させる枢着セットと、
組合せ蓋と内スリーブ、ベアリング、指向ブロック及び固定リング状片からなり、組合せ蓋が、フレームセットのフレームの上端に設置され、その内スリーブとベアリングが、制動セットの軸の外縁に嵌設され、また、内スリーブの上端が、枢着セットのスリーブに固定され、そのベアリングが、フレームセットの嵌合ブロックの内部に設置され、ベアリングの下方に、指向ブロックが設置され、指向ブロックの中央に、指向凹槽が形成されて、制動セットの上歯部の突出に噛み合って、指向の作用が発揮し、その固定リング状片により、ベアリングが、フレームセットの嵌合ブロック内に設置され、固定リング状片の周縁に、若干の定位孔が設置されて、フレームセットの嵌合ブロックのロック孔と互いに噛み合い、また、固定リング状片と嵌合槽のロック孔とに、ロックボルトがに貫設されて螺着される転動セットと、
軸と上歯部、下歯部、弾性素子、制動ブロック及び下組合せブロックからなり、その軸の上端が、転動セットの内部まで貫通するように、枢着セットの調整座に組み立てられ、軸の下端に、下ギヤホイールに噛み合うように、上ギヤホイールが設置され、その上ギヤホイールの中央に、軸が貫通して組み立てられるための固定孔が設置され、上歯部の上端に、四角形の突出が形成され、その突出が、転動セットの定位ブロックの定位凹槽に噛み合うように、組み立てられ、下ギヤホイールが、制動ブロックの上端に設置され、制動の時、上ギヤホイールに噛み合い、その弾性素子が、制動ブロックの中央の内縁に設置され、制動を解除する時、簡単に上歯部と下歯部との噛み合い状態を解除でき、その制動ブロックが、下歯部の下端に設置され、その軸が作動する時、制動ブロックを押して、制動ブロックが制動作用を発揮できる制動セットと、
フレームと嵌合ブロック、キャスター及びシャフトからなり、フレームの一側において、上端に、組合せ孔が設置され、組合せ孔に、嵌合ブロックが設置され、その嵌合ブロックの外観が、リング状のブロックで、周縁に、若干の、転動セットの固定リング状片の定位孔に噛み合うロック孔が設置され、また、嵌合ブロック内に、転動セットや制動セットが組み立てられ、フレームの下端の中央に、シャフト孔が設置され、シャフト孔に、輪スリーブが設置され、フレームの両側に、外へ突出したキャスターが設置され、キャスターの内部の中心に、フレームに貫通して固定されるシャフトが、設置されるフレームセットと、
が含有される、ことを特徴とするキャスター構造。
【請求項２】
枢着セットのスリーブが、二つの対称するケーシングで、上端の両側に、孔が設置されて、コンロッドセットのコンロッドが貫通されてカムブロックを転動させ、また、内部側において、上端にカムブロックの転動をチェックするチェック軸が設置されることを特徴とする請求項１に記載のキャスター構造。
【請求項３】
枢着セットのカムブロックの外縁が、リング形状のカム状で、カムブロックの中央が、六角形や多辺形に設置され、調整座を押さえる作用を発揮できることを特徴とする請求項１に記載のキャスター構造。
【請求項４】
枢着セットの調整座において、上端に、横方向に円柱状の凹槽が設置され、その凹槽に、カムブロックが押さえて定位するローラが設置されることを特徴とする請求項１に記載のキャスター構造。
【請求項５】
枢着セットの押さえ素子が、圧縮ばねによって設置されることを特徴とする請求項１に記載のキャスター構造。
【請求項６】
制動セットの上歯部の固定孔形状が、軸外縁の多辺形に合わせて、互いに噛み合うことができることを特徴とする請求項１に記載のキャスター構造。
【請求項７】
制動セットの軸外縁が、六角形や多角形であることを特徴とする請求項１に記載のキャスター構造。
【請求項８】
制動セットの上ギヤホイールにおいて、上端が、四角形の突出であり、その突出が、転動セットの定位ブロックの定位凹槽と噛み合って転動セットの指向ブロックの指向凹槽内に位置することにより、転動セットの指向ブロックが、指向の作用を発揮できることを特徴とする請求項１に記載のキャスター構造。
【請求項９】
制動セットの制動ブロックの下端円弧に、若干の制動突出が設置され、キャスターとの間の摩擦力が向上されることを特徴とする請求項１に記載のキャスター構造。
【請求項１０】
フレームセットの嵌合ブロックにおいて、内縁に、三角形の嵌合槽が設置されて、転動セットのベアリングの係止ブロックと指向ブロックの指向凸角とが組み立てられることを特徴とする請求項１に記載のキャスター構造。
【請求項１１】
フレームセットのフレームの上端外縁に、外側輪蓋が設置されて、異物がフレーム内に侵入することを防止でき、そして、キャスターの位置付けや美観の向上が実現されることを特徴とする請求項１に記載のキャスター構造。
【考案の詳細な説明】
【技術分野】
【０００１】
本考案は、キャスター構造に関し、特に、枢着セットと転動セット、制動セット及びフレームセットから構成され、主として、キャスターの方向変更の固定と制動定位に関する。
【背景技術】
【０００２】
従来の中空式車輪構造は、中空主軸と位置付けシート、中心スリーブ、制動座、押さえシート及び輪座外蓋からなり、上記の部材は、パーツを実装することに、複雑で、また、転動定位に、定位することが容易ではなく、そして、制動する時、制動ブロックが、有効にキャスターに接触することが難しい。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、三種類の制御方式により、同時に、動的に定位することと制動の作用が実現されるキャスター構造を提供する。
【課題を解決するための手段】
【０００５】
請求項１の考案は、枢着セットと転動セット、制動セット及びフレームセットから構成されるキャスター構造であって、フレームセットの上端に設置され、スリーブの上方に、スリーブを固定するための上蓋が設置され、スリーブの内部に、カムブロックが組み立てられ、カムブロックの下方に、調整座が設置され、調整座の外縁に、押さえ素子が設けられ、制動セットの制動を制御して定位させる枢着セットと、組合せ蓋と内スリーブ、ベアリング、指向ブロック及び固定リング状片からなり、組合せ蓋が、フレームセットのフレームの上端に設置され、その内スリーブとベアリングが、制動セットの軸の外縁に嵌設され、また、内スリーブの上端が、枢着セットのスリーブに固定され、そのベアリングが、フレームセットの嵌合ブロックの内部に設置され、ベアリングの下方に、指向ブロックが設置され、指向ブロックの中央に、指向凹槽が形成されて、制動セットの上歯部の突出に噛み合って、指向の作用が発揮し、その固定リング状片により、ベアリングが、フレームセットの嵌合ブロック内に設置され、固定リング状片の周縁に、若干の定位孔が設置されて、フレームセットの嵌合ブロックのロック孔と互いに噛み合い、また、固定リング状片と嵌合槽のロック孔とに、ロックボルトがに貫設されて螺着される転動セットと、軸と上歯部、下歯部、弾性素子、制動ブロック及び下組合せブロックからなり、その軸の上端が、転動セットの内部まで貫通するように、枢着セットの調整座に組み立てられ、軸の下端に、下ギヤホイールに噛み合うように、上ギヤホイールが設置され、その上ギヤホイールの中央に、軸が貫通して組み立てられるための固定孔が設置され、上歯部の上端に、四角形の突出が形成され、その突出が、転動セットの定位ブロックの定位凹槽に噛み合うように、組み立てられ、下ギヤホイールが、制動ブロックの上端に設置され、制動の時、上ギヤホイールに噛み合い、その弾性素子が、制動ブロックの中央の内縁に設置され、制動を解除する時、簡単に上歯部と下歯部との噛み合い状態を解除でき、その制動ブロックが、下歯部の下端に設置され、その軸が作動する時、制動ブロックを押して、制動ブロックが制動作用を発揮できる制動セットと、フレームと嵌合ブロック、キャスター及びシャフトからなり、フレームの一側において、上端に、組合せ孔が設置され、組合せ孔に、嵌合ブロックが設置され、その嵌合ブロックの外観が、リング状のブロックで、周縁に、若干の、転動セットの固定リング状片の定位孔に噛み合うロック孔が設置され、また、嵌合ブロック内に、転動セットや制動セットが組み立てられ、フレームの下端の中央に、シャフト孔が設置され、シャフト孔に、輪スリーブが設置され、フレームの両側に、外へ突出したキャスターが設置され、キャスターの内部の中心に、フレームに貫通して固定されるシャフトが、設置されるフレームセットと、が含有されることを特徴とするキャスター構造である。
【０００６】
請求項２の考案は、枢着セットのスリーブが、二つの対称するケーシングで、上端の両側に、孔が設置されて、コンロッドセットのコンロッドが貫通されてカムブロックを転動させ、また、内部側において、上端にカムブロックの転動をチェックするチェック軸が設置されることを特徴とする請求項１に記載のキャスター構造である。
【０００７】
請求項３の考案は、枢着セットのカムブロックの外縁が、リング形状のカム状で、カムブロックの中央が、六角形や多辺形に設置され、調整座を押さえる作用を発揮できることを特徴とする請求項１に記載のキャスター構造である。
【０００８】
請求項４の考案は、枢着セットの調整座において、上端に、横方向に円柱状の凹槽が設置され、その凹槽に、カムブロックが押さえて定位するローラが設置されることを特徴とする請求項１に記載のキャスター構造である。
【０００９】
請求項５の考案は、枢着セットの押さえ素子が、圧縮ばねによって設置されることを特徴とする請求項１に記載のキャスター構造である。
【００１０】
請求項６の考案は、制動セットの上歯部の固定孔形状が、軸外縁の多辺形に合わせて、互いに噛み合うことができることを特徴とする請求項１に記載のキャスター構造である。
【００１１】
請求項７の考案は、制動セットの軸外縁が、六角形や多角形であることを特徴とする請求項１に記載のキャスター構造である。
【００１２】
請求項８の考案は、制動セットの上ギヤホイールにおいて、上端が、四角形の突出であり、その突出が、転動セットの定位ブロックの定位凹槽と噛み合って転動セットの指向ブロックの指向凹槽内に位置することにより、転動セットの指向ブロックが、指向の作用を発揮できることを特徴とする請求項１に記載のキャスター構造である。
【００１３】
請求項９の考案は、制動セットの制動ブロックの下端円弧に、若干の制動突出が設置され、キャスターとの間の摩擦力が向上されることを特徴とする請求項１に記載のキャスター構造である。
【００１４】
請求項１０の考案は、フレームセットの嵌合ブロックにおいて、内縁に、三角形の嵌合槽が設置されて、転動セットのベアリングの係止ブロックと指向ブロックの指向凸角とが組み立てられることを特徴とする請求項１に記載のキャスター構造である。
【００１５】
請求項１１の考案は、フレームセットのフレームの上端外縁に、外側輪蓋が設置されて、異物がフレーム内に侵入することを防止でき、そして、キャスターの位置付けや美観の向上が実現されることを特徴とする請求項１に記載のキャスター構造である。
【００１６】
以下、図面を参照しながら、本考案の特徴や技術内容について、詳しく説明するが、それらの図面等は、参考や説明のためであり、本考案は、それによって制限されることが無い。
【図面の簡単な説明】
【００１７】
【図１】本考案の部品分解概念図
【図２】本考案の転動セット分解概念図
【図３】本考案の制動セット分解概念図
【図４】本考案の立体外観概念図
【図５】本考案のキャスター指向断面概念図
【図６】本考案の図５Ａ部分局部拡大概念図
【図７】本考案のキャスター方向変更断面概念図
【図８】本考案の図７Ｂ部分局部拡大概念図
【図９】本考案のキャスター定位制動断面概念図
【図１０】本考案の図９Ｃ部分局部拡大概念図
【考案を実施するための最良の形態】
【００１８】
本考案のキャスター構造（図１乃至図３のように）は、枢着セット１と転動セット２、制動セット３及びフレームセット４から構成される。
【００１９】
枢着セット１は、スリーブ１１と上蓋１２、カムブロック１３、調整座１４、及び押さえ素子１５からなり、そのスリーブ１１は、二つの対称するケーシングからなり、その下端が、転動セット２の内スリーブ２２に組み立てられ、その上端において、両側に、コンロッドセット５のコンロッド５１がカムブロック１３を転動できるように、孔１１１が設置され、また、スリーブ１１の内部において、上端に、カムブロック１３の転動を制限するためのチェック軸１１２が設置され、スリーブ１１の上端に、上蓋１２が設置され、カムブロック１３は、外縁がリング状のカム状で、中央が、六角形や多辺形に設置されて、調整座１４を押さえる作用が実現され、調整座１４は、外観が、Ｔ形状で、下端が、制動セット３の軸３１に組み立てられ、上端に、横方向に、円柱状の凹槽１４１が設置され、それに、カムブロック１３が押さえて定位するためのローラ１４２が設置されて、押さえ素子１５は、調整座１４の下端外縁に嵌設され、枢着セット１が、制動される時、パーツが容易に摺動できなく、スリーブ１１の下端において、両側に、スリーブ１１と転動セット２の内スリーブ２２とが組み立てられるための定位ボルト１６が設置される。
【００２０】
転動セット２は、組合せ蓋２１と内スリーブ２２、ベアリング２３、指向ブロック２４及び固定リング状片２５からなり、組合せ蓋２１は、フレームセット４のフレーム４１の上端に設置され、組合せ蓋２１の内部に、パッド２１１が設置されて、ベアリング２３が固定され、容易に脱落せず、その内スリーブ２２とベアリング２３が、制動セット３の軸３１の外縁に嵌設され、また、内スリーブ２２上端と枢着セット１のスリーブ１１とが結合され、そのベアリング２３が、フレームセット４の嵌合ブロック４２の内部に設置され、また、外観が三角形である係止ブロック２３１により、フレームセット４の嵌合ブロック４２の嵌合槽４２内に組み立てられ、これにより、ベアリング２３が、容易に嵌合ブロック４２内から脱離することがなく、また、キャスターに、方向変更の作用が付けられ、ベアリング２３の下方に、指向ブロック２４が設置され、指向ブロック２４の中央に、指向凹槽２４１が形成されて、制動セット３の上歯部３２の突出３２２に噛み合って、指向の作用が発揮され、また、指向ブロック２４の一側に、フレームセット４の嵌合ブロック４２の嵌合槽４２２に組合せる指向凸角２４２が設けられ、その固定リング状片２５により、ベアリング２３が、フレームセット４の嵌合ブロック４２内に固定され、固定リング状片２５の周縁に、若干の、フレームセット４の嵌合ブロック４２のロック孔４２１に噛み合う定位孔２５１が設置され、ロックボルト２５２を、固定リング状片２５に、そして、嵌合槽４２のロック孔４２１に貫通して、螺着する。
【００２１】
制動セット３は、軸３１と上歯部３２、下歯部３３、弾性素子３４、制動ブロック３５及び下組合せブロック３６からなり、その軸３１の上端が、転動セット２の内部に貫通して、枢着セット１の調整ブロック１４に組み立てられて、また、軸３１の外縁が、六角形や多角形であり、軸３１の下端に、下ギヤホイール３３に噛み合って固定される上ギヤホイール３２が設置され、その上ギヤホイール３２の中央に、軸３１が貫通して組み立てられる固定孔３２１が設置され、また、固定孔３２１の形状が、軸３１の外縁の多辺形に合わせて噛み合うことができ、上歯部３２の上端に、四角形の突出３２２が設けられ、その突出３２２により、転動セット２の定位ブロック２４の定位凹槽２４１と噛み合って組み立てられ、その下ギヤホイール３３が、制動ブロック３５の上端に設置され、制動する時、上ギヤホイール３２に噛み合い、その弾性素子３４が、制動ブロック３５の中央内縁に設置され、制動を解除する時、簡単に上歯部３２と下歯部３３とを噛み合う状態から分離でき、その制動ブロック３５が、下歯部３３の下端に設置され、その軸３１が、作動する時、制動ブロック３５を押して、制動ブロック３５に、制動作用を発揮させ、軸３１の底端に、制動ブロック３５を固定する下組合せブロック３６が設置され、また、固定ボルト３６１により、軸３１に固定される。
【００２２】
フレームセット４は、フレーム４１と嵌合ブロック４２、キャスター４３及びシャフト４４からなり、フレーム４１は、一側の上端に、組合せ孔４１１が設置され、組合せ孔４１１内に、嵌合ブロック４２が設置され、その嵌合ブロック４２は、外観がリング状であるブロックで、周縁に、若干の、転動セット２の固定リング状片２５の定位孔２５１と互いに噛み合うロック孔４２１が設置され、嵌合ブロック４２の内縁に、転動セット２のベアリング２３の係止ブロック２３１と指向ブロック２４の指向凸角２４２が組み立てられるための三角形の嵌合槽４２２が設置され、また、嵌合ブロック４２内に、転動セット２と制動セット３が組み立てられ、フレーム４１の下端において、中央に、シャフト孔４１２が設置され、シャフト孔４１２に、輪スリーブ４１３が設置され、フレーム４１の上端外縁に、外側輪蓋４１４が設置され、その外側輪蓋４１４により、異物がフレーム４１内に侵入することを防止でき、また、美観やキャスター４３の位置付け等が向上され、例えば、フレーム４１の両側に、外観の突出するキャスター４３が設置され、キャスター４３の内部中心に、シャフト４４が貫通されることにより、フレーム４１上に固定される。
【００２３】
本考案に係るキャスター構造によれば、まず、図４のように、コンロッドセット５の外観が多角形であるコンロッド５１を、枢着セット１のカムブロック１３の中央に貫通させしながら、コンロッド５１上のペダル５２を下へ押してコンロッド５１を転動させ、図５のように、枢着セット１のカムブロック１３を転動させて、カムブロック１３の外縁に設置されたやや大きい欠け口を、調整座１４のローラ１４２に合わせると、制動セット３の軸３１が、上へ付勢され、上ギヤホイール３２上に設置された突出３２２が、転動セット２の指向ブロック２４の指向凹槽２４１内に噛み合い、転動セット２の指向ブロック２４が、指向作用を発揮でき、図６のように、制動セット３の制動ブロック３５の円弧面が、フレームセット４のキャスター４３から離れると、キャスターが、単一方向に直線に転動でき、図７のように、枢着セット１のカムブロック１３が転動すると、カムブロック１３の外縁に設置されたやや小さい欠け口を、調整座１４のローラ１４２に合わせると、調整座１４が、制動セット３の軸３１を下へ押さえて、押さえ素子１５を圧迫して、軸３１の下端に組み立てられた上ギヤホイール３２の突出３２２が、転動セット２の指向ブロック２４の指向凹槽２４１内から引き抜け、キャスターの指向状態が解除され、この時、キャスターが、任意に方向変更でき、図８のように、制動セット３の制動ブロック３５の円弧面が、フレームセット４のキャスター４３に、僅かに接触すると、図９のように、枢着セット１のカムブロック１３が転動して、カムブロック１３の外縁に設置された突縁を、調整座１４のローラ１４２に合わせると、制動セット３の軸３１により、下端に設置された上ギヤホイール３２と下ギヤホイール３３が、噛み合って定位され、図１０のように、また、制動ブロック３５の外縁とフレームセット４のキャスター４３とが、緊密に接触して摩擦により制動効果が実現され、制動ブロック３５の下端の円弧箇所に、若干の制動突出３５１が設置されれば、キャスター４３との摩擦力が向上される。
【００２４】
本考案のキャスター構造によれば、外観がカム状であるカムブロック１３により、軸３１の指向や方向変更及び定位制動等の作用を制御でき、また、制動定位の時、上ギヤホイール３２と下ギヤホイール３３とが互いに噛み合い、制動ブロック３５に、軸３１による圧迫の力が印加され、制動ブロック３５とキャスター４３とが互いに押し合わせて、同時に、定位と制動の作用が実現される。
【００２５】
そのため、本考案は、より進歩的かつより実用的で、法に従って実用新案登録請求を出願する。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２７】
１      枢着セット
１１    スリーブ
１１１  孔
１１２  チェック軸
１２    上蓋
１３    カムブロック
１４    調整座
１４１  凹槽
１４２  ローラ
１５    押さえ素子
１６    定位ボルト
２      転動セット
２１    組合せ蓋
２１１  パッド
２２    内スリーブ
２３    ベアリング
２３１  係止ブロック
２４    指向ブロック
２４１  指向凹槽
２４２  指向凸角
２５    固定リング状片
２５１  定位孔
２５２  ロックボルト
３      制動ブロック
３１    軸
３２    上ギヤホイール
３２１  固定孔
３２２  突出
３３    下歯部
３４    弾性素子
３５    制動ブロック
３５１  制動突出
３６    下組合せブロック
３６１  固定ボルト
４      フレームセット
４１    フレーム
４１１  組合せ孔
４１２  シャフト孔
４１３  輪スリーブ
４１４  外側輪蓋
４２    嵌合ブロック
４２１  ロック孔
４２２  嵌合槽
４３    キャスター
４４    シャフト
５      コンロッドセット
５１    コンロッド
５２    ペダル
【図１】
0003151639.tif 000003
【図２】
0003151639.tif 000004
【図３】
0003151639.tif 000005
【図４】
0003151639.tif 000006
【図５】
0003151639.tif 000007
【図６】
0003151639.tif 000008
【図７】
0003151639.tif 000009
【図８】
0003151639.tif 000010
【図９】
0003151639.tif 000011
【図１０】
0003151639.tif 000012